(57)【要約】      （修正有）【課題】  使用済みエアゾール容器の残留ガスを抜き取るために、オーバーキャップの蓋体下部に設けた係合リングを取外し、蓋体をエアゾール容器の上部に直接装着することで残留ガスを抜き取るようにしたエアゾール容器のガス抜き機構を提供する。【解決手段】  エアゾール容器は、胴部と肩部、肩部上端に係合環を形成したマウンテンカップとを具えており、オーバーキャップは、蓋体と、蓋体の下部に装着された係合リングとからなり、蓋体は、頂壁下面から垂設される内筒壁と、係合リングの上部外周壁に被嵌されるとともにエアゾール容器の係合環に装着可能な下部外周壁とを具え、前記内周壁内面には、噴出ヘッドのフランジ上面に係合される複数の係合リブが配設されており、係合リングは、蓋体の内筒壁に着脱自在に係合される上部側周壁と、内面に係合環に当接するリブを設けた中部側周壁と、エアゾール容器の係合環に装着される下部側周壁とを具えた。【選択図】  図１
2007176548.tif 000002
【特許請求の範囲】
【請求項１】
噴出ヘッドを装着したエアゾール容器にオーバーキャップを装着した内容物噴出容器であって、
エアゾール容器は、胴部と肩部、肩部上端に係合環を形成したマウンテンカップとを具えており、
オーバーキャップは、蓋体と、蓋体の下部に装着された係合リングとからなり、
蓋体は、頂壁下面から垂設される内筒壁と、係合リングの上部外周壁に被嵌されるとともにエアゾール容器の係合環に装着可能な下部外周壁とを具え、
前記内周壁内面には、噴出ヘッドのフランジ上面に係合される複数の係合リブが配設されており、
係合リングは、蓋体の内筒壁に着脱自在に係合される上部側周壁と、内面に係合環に当接するリブを設けた中部側周壁と、エアゾール容器の係合環に装着される下部側周壁とを具え、
蓋体から係合リングを取外し、蓋体をエアゾール容器の係合環に直接装着することにより、噴出ヘッドの押下げ状態を維持するようにしたことを特徴とするエアゾール容器のガス抜き機構。
【請求項２】
蓋体の内周壁に係合リングの上部側周壁が螺着されていることを特徴とする請求項１記載のエアゾール容器のガス抜き機構。
【請求項３】
係合リングの下部側周壁の下端から外方に突出するフランジを設け、フランジの周縁から上方に延び、蓋体の下部を覆う外筒を立設したことを特徴とする請求項１、または２記載のエアゾール容器のガス抜き機構。
【発明の詳細な説明】
【技術分野】
【０００１】
本発明は、エアゾール容器、とくに使用後における容器内の残留ガスの抜き取り機構に関するものである。
【背景技術】
【０００２】
噴出ヘッドを装着したエアゾール容器に、噴出ヘッドを保護するオーバーキャップを装着した内容物噴出容器において、使用済みエアゾール容器の残留ガスを抜き取るために、エアゾール容器に装着した肩カバーを取外し、オーバーキャップをエアゾール容器に直接装着することで噴出ヘッドを押下げ位置に維持して残留ガスを抜き取るようにした内容物噴出容器は、従来より知られている（例えば、特許文献１参照）。
【特許文献１】特開２００１−２１５４号公報
【発明の開示】
【発明が解決しようとする課題】
【０００３】
しかしながら、上記特許文献記載の内容物噴出容器では、内容物を使用中にエアゾール容器から肩カバー（プロテクターリング）が外れないことが必要であり、ある程度の強さの嵌合で装着されているため、残留ガスを抜き取る際、肩カバーをエアゾール容器から取外すことに苦労するという問題があった。
【０００４】
本発明は、上記問題を解決することを課題とし、内容物噴出容器として肩カバーを使用せず、使用済みエアゾール容器の残留ガスを抜き取るために、オーバーキャップの下部に設けた係合リングを取外し、上蓋をエアゾール容器の上部に装着することで残留ガスを抜き取るようにしたエアゾール容器のガス抜き機構を提供することを目的とする。
【課題を解決するための手段】
【０００５】
本発明は、上記の課題を解決するため、エアゾール容器のガス抜き機構として、噴出ヘッドを装着したエアゾール容器にオーバーキャップを装着した内容物噴出容器であって、エアゾール容器は、胴部と肩部、肩部上端に係合環を形成したマウンテンカップとを具えており、オーバーキャップは、蓋体と、蓋体の下部に装着された係合リングとからなり、蓋体は、頂壁下面から垂設される内筒壁と、係合リングの上部外周壁に被嵌されるとともにエアゾール容器の係合環に装着可能な下部外周壁とを具え、前記内周壁内面には、噴出ヘッドのフランジ上面に係合される複数の係合リブが配設されており、係合リングは、蓋体の内筒壁に着脱自在に係合される上部側周壁と、内面に係合環に当接するリブを設けた中部側周壁と、エアゾール容器の係合環に装着される下部側周壁とを具え、蓋体から係合リングを取外し、蓋体をエアゾール容器の係合環に直接装着することにより、噴出ヘッドの押下げ状態を維持するようにしたことを特徴とする構成を採用する。
【０００６】
上蓋と係合リングの係合手段として、蓋体の内周壁に係合リングの上部側周壁が螺着されていることを特徴とする構成を採用する。
【０００７】
係合リングの実施例として、係合リングの下部側周壁の下端から外方に突出するフランジを設け、フランジの周縁から上方に延び、蓋体の下部を覆う外筒を立設したことを特徴とする構成を採用する。
【発明の効果】
【０００８】
噴出ヘッドを装着したエアゾール容器にオーバーキャップを装着した内容物噴出容器において、オーバ−キャップを、蓋体と蓋体の下部に装着された係合リングとから形成し、エアゾール容器のガス抜きの際、蓋体から係合リングを取外し、蓋体をエアゾール容器の係合環に直接装着することで、噴出ヘッドの押下げ状態を維持できるようにしたので、エアゾール容器のガス抜き機構を簡単な構造とし、ガス抜きを無造作に、かつ確実に行われるようになった。
【発明を実施するための最良の形態】
【０００９】
次に、本発明の噴出容器の実施形態について、図面を参照して説明する。
図１において、Ａはエアゾール容器、Ｂはエアゾール容器Ａに装着された噴出ヘッド、Ｃはエアゾール容器Ａに装着された係合リング、Ｄは係合リングＣの上部に装着された蓋体である。
係合リングＣと蓋体Ｄは係合されて、エアゾール容器Ａのオーバーキャップが構成されている。
【００１０】
エアゾール容器Ａは、金属製または合成樹脂製であり、胴部１と、胴部１上端から内側上方に傾斜する肩部２と、肩部２上端に連設されたマウンテンカップ３とを具備している。
マウンテンカップ３は、上部外周に係合環４を形成し、内方中央には、上端にステム５を突出したエアゾールバルブが取着されている。
【００１１】
噴出ヘッドＢは、合成樹脂によって成形され、エアゾール容器Ａのステム５に装着されており、頂壁１０と、頂壁１０外縁に垂設され、噴出孔１１を配設した上部側周壁１２と、上部側周壁１２下端にフランジ１３を介して拡径された下部側周壁１４とを具えており、頂壁１０は、噴出孔１１の側を高くした傾斜面からなっている。
【００１２】
図２に示すように、係合リングＣは、合成樹脂によって成形され、上部側周壁１５と、上部側周壁１５下端に上部フランジ１６を介して拡径された中部側周壁１７と、中部側周壁１７下端に下部フランジ１８を介して拡径され、エアゾール容器Ａのマウンテンカップ３の係合環４に係合する下部側周壁１９とを具えている。
【００１３】
上部側周壁１５内周には、ねじ２０が螺設されており、中部側周壁１７の内周には、取外し時に手指を掛け止めるとともに係合環４に当接するリブ２１が配設されてる。  
下部側周壁１９内周下端には、エアゾール容器Ａのマウンテンカップ３の係合環４外周下部に上部が係合する係合突部２２が、一定の間隔を持って複数配設されている。
【００１４】
蓋体Ｄは、ドーム状の頂壁２５と、頂壁２５下面に垂設された内筒壁２６と、頂壁２５下端外周に下面が係合リングＣの上部フランジ１６上面と当接するフランジ２７と、該フランジ２７を介して拡径され、中部側周壁１７外周に内周が係合するとともに下端が下部フランジ１８上面外縁に当接する外筒壁２８とを具えている。
【００１５】
内筒壁２６の外周には、係合リングＣの上部側周壁１５内周のねじ２０に螺合するねじ２９が螺設され、内周には、下端が噴出ヘッドＣのフランジ１３の上面外縁に当接する位置に形成された係合リブ３０が複数配設されている。
外筒壁２８の内周下端には、突部が係合リングＣの中部側周壁１７外周に係合し、または上部がエアゾール容器Ａのマウンテンカップ３の係合環４外周下部に係合する係合突条３１が周設されている。
【００１６】
蓋体Ｄの内周壁２６の下端、フランジ２７下面および外筒壁２８内周には、蓋体Ｄ内から外に通じる空気の流路（図示しない）が、縦溝などにより設けられている。
【００１７】
次に、本実施例の噴出容器の使用態様と、作用効果について説明する。
噴出容器の組立は、まず、蓋体Ｄ内に係合リングＣの上部を挿入し、蓋体Ｄの内筒壁２６外周のねじ２９と、係合リングＣの上部側周壁１５内周のねじ２０とを螺合させて、蓋体Ｄに係合リングＣを装着したオーバーキャップとする。
【００１８】
次に、エアゾール容器Ａのステム５に噴出ヘッドＢを装着し、最後に、エアゾール容器Ａの上方にオーバーキャップを被せ、エアゾール容器Ａのマウンテンカップ３の係合環４に係合リングＣの下部側周壁１９の係合突部２２を係合させることで、エアゾール容器Ａの上部にオーバーキャップを装着し、閉蓋した噴出容器を得ることができる。
【００１９】
噴出容器内の内容物使用の際には、オーバーキャップを上方に引張ると、エアゾール容器Ａのマウンテンカップ３の係合環４と係合リングＣの下部側周壁１９の係合突部２２との係合が外れ、開蓋する。
噴出ヘッドＢを押下げ操作すると、内容物を噴出孔１１から噴出させることができる。
【００２０】
内容物を使用し、噴出容器を仕舞うときには、係合リングＣの下部側周壁１９の係合突部２２とエアゾール容器Ａのマウンテンカップ３の係合環４とを係合することで、オーバーキャップをエアゾール容器Ａに装着し、閉蓋する。
【００２１】
内容物を全て使用し、エアゾール容器Ａを廃棄する際には、エアゾール容器Ａ内の残留ガスの抜き取りを行う。
残留ガスの抜き取りは、まず、オーバーキャップをエアゾール容器Ａから取外し、オーバーキャップの蓋体Ｄ外周を把持したまま係合リングＣの中部側周壁１７内周のリブ２１に指などを掛け、蓋体Ｄに対して回転させる。
回転により、蓋体Ｄのねじ２９と係合リングＣのねじ２０との螺合を解き、蓋体Ｄから係合リングＣを取外すことができる。
【００２２】
次に、蓋体Ｄをエアゾール容器Ａの上方に被せ、図３に示すように、エアゾール容器Ａのマウンテンカップ３の係合環４に、蓋体Ｄの外筒壁２８内周の係合突条３１を係合させることによ３て、エアゾール容器Ａの上部に蓋体Ｄを装着する。
【００２３】
エアゾール容器Ａの上部に蓋体Ｄを装着すると、蓋体Ｄの内筒壁２６内周に設けた係合リブ３０下端が噴出ヘッドＢのフランジ１３上面外縁に当接し、噴出ヘッドＢを一定の位置まで押下げ、残留ガスの抜き取りが行われる。
残留ガスは、噴出ヘッドＢの噴出孔１１から蓋体Ｄ内に噴出され、蓋体Ｄ内の空気の流路を通り、エアゾール容器Ａ外に排出される。
【００２４】
蓋体Ｄの外筒壁２８内周の係合突条３１と、エアゾール容器Ａのマウンテンカップ３の係合環４との係合が維持され、そのまま放置するだけで、ガスの抜き取りが継続され、エアゾール容器Ａ内の残留ガスや内容物は抜き取られ、エアゾール容器Ａを安全に廃棄することができる。
必要であれば、エアゾール容器Ａ内の残留ガスや内容物を完全に抜き取り後、エアゾール容器Ａから蓋体Ｄを取外し、係合リングＣとともに、分別廃棄することもできる。
【００２５】
次に係合リングの変形実施例について説明する。
前記実施形態では、オーバキャップの蓋体Ｄ内に係合リングＣの上部を挿入し、蓋体Ｄ係合リングＣとを螺合させるようにしているが、エアゾール容器の使用中、オーバーキャップをエアゾール容器Ａに被嵌しているときに、手指が蓋体に触れて廻動させることがある。
本実施例は、廻動を防止するため、係合リングＣの下部側周壁１９の外側に外筒を配設したものである。
以下、相違点を中心に説明する。
【００２６】
図４において、Ｃａは係合リング、Ｄは蓋体である。
係合リングＣａの下部側周壁１９の下端に、外方に突出するフランジ３５が設けられ、該フランジ３５の周縁から上方に延びる外筒３６が立設されている。
外筒３６の高さは、蓋体Ｄの外周壁２８と、ドーム状の頂壁２５の下部を覆う高さとしている。
【００２７】
本実施例は、外筒３６を設けることによって、被嵌されたオーバーキャップの蓋体Ｄに手指が触れることが阻止され、不用意な廻動を阻止することができる。
【産業上の利用可能性】
【００２８】
本発明は、蓋体と係合リングとからなるオーバーキャップの係合リングを取外し、蓋体のみをエアゾール容器の上部に装着することで残留ガスの抜き取りができるので、種々のエアゾール容器のガス抜き機構として広く利用できる。
【図面の簡単な説明】
【００２９】
【図１】本発明の噴出容器の断面立面図である。
【図２】オーバーキャップの分解説明図である。
【図３】エアゾール容器に蓋体のみを装着した時の断面立面図である。
【図４】変形実施例の説明図である。
【符号の説明】
【００３０】
Ａ        エアゾール容器
Ｂ        噴出ヘッド
Ｃ        係合リング
Ｄ        蓋体
１        胴部
２        肩部
３        マウンテンカップ
４        係合環
５        ステム
１０、２５  頂壁
１１      噴出孔
１２、１５  上部側周壁
１３      フランジ
１４、１９  下部側周壁
１６      上部フランジ
１７      中部側周壁
１８      下部フランジ
２０、２９  ねじ
２１      リブ
２２      係合突部
２６      内筒壁
２７      フランジ
２８      外筒壁
３０      係合リブ
３１      係合突条
３５      フランジ
３６      外筒
【図１】
2007176548.tif 000003
【図２】
2007176548.tif 000004
【図３】
2007176548.tif 000005
【図４】
2007176548.tif 000006